(57)【特許請求の範囲】
【請求項１】
Ｗｅｂページの第１のクリップ領域を選択する選択手段と、
前記第１のクリップ領域に関する第１のＷｅｂ情報を解析するＷｅｂ情報解析手段と、
前記第１のＷｅｂ情報をもとに前記第１のクリップ領域のページ情報を表示するための画面を生成する画面生成手段と、
前記第１のＷｅｂ情報を外部装置に送信する送信手段と、
前記第１のＷｅｂ情報と関連性のある情報であって、他の映像表示装置において前記Ｗｅｂページから選択された第２のクリップ領域に関する第２のＷｅｂ情報を、前記外部装置から受信する受信手段と、
前記第２のＷｅｂ情報をもとに前記第１のクリップ領域を変更する変更手段と
を具備する映像表示装置。
【請求項２】
前記選択手段は、前記Ｗｅｂページとは異なるＷｅｂページの第３のクリップ領域を選択し、
前記Ｗｅｂ情報解析手段は、前記第３のクリップ領域に関する第３のＷｅｂ情報を解析し、
前記画面生成手段は、前記選択手段により選択された前記第１のクリップ領域と前記第３クリップ領域を表示する統合画面を、前記第１のＷｅｂ情報と前記第３のＷｅｂ情報とをもとに生成する請求項１記載の映像表示装置。
【請求項３】
前記第１のＷｅｂ情報には、前記Ｗｅｂページ中の前記第１のクリップ領域の位置と面積を示すデータを含む請求項１記載の映像表示装置。
【請求項４】
前記第１のＷｅｂ情報には、前記第１のクリップ領域に対応するページの構造情報を含む請求項１記載の映像表示装置。
【請求項５】
Ｗｅｂページの第１のクリップ領域を選択する選択手段と、
前記第１のクリップ領域に関する第１のＷｅｂ情報を解析するＷｅｂ情報解析手段と、
前記第１のＷｅｂ情報をもとに前記第１のクリップ領域のページ情報を表示するための画面を生成する画面生成手段と、
前記第１のＷｅｂ情報を外部装置に送信する送信手段と、
前記外部装置において、前記Ｗｅｂページから選択された第２のクリップ領域に関する第２のＷｅｂ情報を、前記外部装置から受信する受信手段と、
前記第１のＷｅｂ情報と前記第２のＷｅｂ情報に関連性があるか判別する判別手段と、
前記判別手段により関連性があると判別された場合に、前記第２のＷｅｂ情報をもとに前記第１のクリップ領域を前記第２のクリップ領域に変更する変更手段と
を具備する映像表示装置。
【請求項６】
第１の外部装置においてＷｅｂページから選択される第１のクリップ領域に関する第１のＷｅｂ情報と共に代替領域の提示要求を、前記第１の外部装置から受信する第１の受信手段と、
第２の外部装置において前記Ｗｅｂページから選択される第２のクリップ領域に関する前記第２のＷｅｂ情報を、前記第２の外部装置から受信する第２の受信手段と、
前記第１のＷｅｂ情報と前記第２のＷｅｂ情報に関連性があるか判別する判別手段と、
前記判別手段により関連性があると判別された場合に、前記第２のＷｅｂ情報を前記第１の外部装置に送信する送信手段と
を具備する映像表示管理装置。
【請求項７】
さらに、前記第１のＷｅｂ情報に含まれる前記第１のクリップ領域の位置と面積を示す第１データと、前記第２のＷｅｂ情報に含まれる前記第２のクリップ領域の位置と面積を示す第２データとをもとに、前記第１のＷｅｂ情報と前記第２のＷｅｂ情報との関連性を判別する判別手段を具備する請求項６記載の映像表示管理装置。
【請求項８】
さらに、前記第１のＷｅｂ情報に含まれる前記第１のクリップ領域に対応する第１構造情報と、前記第２のＷｅｂ情報に含まれる前記第２のクリップ領域に対応する第２構造情報とをもとに、前記第１のＷｅｂ情報と前記第２のＷｅｂ情報との関連性を判別する判別手段を具備する請求項６記載の映像表示管理装置。
【請求項９】
さらに、前記第１のＷｅｂ情報に含まれる複数のＷｅｂページの前記クリップ領域に対応する第１情報と、前記第２のＷｅｂ情報に含まれる複数のＷｅｂページの前記クリップ領域に対応する第２情報とをもとに、前記第１のＷｅｂ情報と前記第２のＷｅｂ情報との関連性を判別する判別手段を具備する請求項６記載の映像表示管理装置。
【請求項１０】
前記第２の受信手段は、前記Ｗｅｂページから選択される前記第１のクリップ領域と関連性のある前記第２のクリップ領域が修正された後の前記第２のクリップ領域に関する前記第２のＷｅｂ情報を前記第２の外部装置から受信する請求項６記載の映像表示管理装置。
【請求項１１】
Ｗｅｂページの第１のクリップ領域を選択し、
前記第１のクリップ領域に関する第１のＷｅｂ情報を解析し、
前記第１のＷｅｂ情報をもとに前記第１のクリップ領域のページ情報を表示するための画面を生成し、
前記第１のＷｅｂ情報を外部装置に送信し、
前記第１のＷｅｂ情報と関連性のある情報であって、他の映像表示装置において前記Ｗｅｂページから選択された第２のクリップ領域に関する第２のＷｅｂ情報を、前記外部装置から受信し、
前記第２のＷｅｂ情報をもとに前記第１のクリップ領域を変更する映像表示方法。
【請求項１２】
Ｗｅｂページの第１のクリップ領域を選択し、
前記第１のクリップ領域に関する第１のＷｅｂ情報を解析し、
前記第１のＷｅｂ情報をもとに前記第１のクリップ領域のページ情報を表示するための画面を生成し、
前記第１のＷｅｂ情報を外部装置に送信し、
前記外部装置において前記Ｗｅｂページから選択された第２のクリップ領域に関する第２のＷｅｂ情報を、前記外部装置から受信し、
前記第１のＷｅｂ情報と前記第２のＷｅｂ情報に関連性があるか判別し、
関連性があると判別された場合に、前記第２のＷｅｂ情報をもとに前記第１のクリップ領域を前記第２のクリップに変更する映像表示方法。
【請求項１３】
Ｗｅｂページから選択される第１のクリップ領域に関する第１のＷｅｂ情報と共に代替領域の提示要求を第１の外部装置からを受信し、
第２の外部装置において前記Ｗｅｂページから選択される第２のクリップ領域に関する前記第２のＷｅｂ情報を前記第２の外部装置から受信し、
前記第１のＷｅｂ情報と前記第２のＷｅｂ情報に関連性があるか判別し、
前記判別手段により関連性があると判別された場合に、前記第２のＷｅｂ情報を前記第１の外部装置に送信する映像表示管理方法。
【発明の詳細な説明】
【技術分野】
【０００１】
本発明の実施形態は、Ｗｅｂページを閲覧するための映像表示装置、映像表示管理装置、映像表示方法、及び映像表示管理方法に関する。
【背景技術】
【０００２】
近年、テレビジョン装置には、インターネット上で公開されているＷｅｂページを閲覧することができるＷｅｂブラウザが搭載されたものがある。テレビジョン装置は、Ｗｅｂブラウザを通じてＷｅｂページにアクセスして、Ｗｅｂページを表示することができる。  
また、近年では、Ｗｅｂページの一部だけをクリッピングする技術も知られている。
【先行技術文献】
【特許文献】
【０００３】
【特許文献１】特開２００６−１０７４５８号公報
【発明の概要】
【発明が解決しようとする課題】
【０００４】
ところで、インターネット上で公開されているＷｅｂページは、コンテンツが不定期に変更されることがある。例えば、ページ内のコンテンツのレイアウトが変更されたり、コンテンツの内容が変更されたりすることがある。また、Ｗｅｂページのアドレス（ＵＲＬ（uniform resource locator））が変更されて、Ｗｅｂページがなくなったように見える場合もある。クリッピングと言っても様々な実施形態が考えられるが、ここではＷｅｂページの一部分の領域(部分領域)の拡大表示を行うことで、あたかもＷｅｂページの一部分がクリップされたように見える技術をクリッピングと言っている。
【０００５】
Ｗｅｂページの一部をクリッピングして表示するために、表示対象とする部分領域を指定した場合、この部分領域に対応するＷｅｂページに変更があると、想定していたコンテンツを表示できなくなってしまう。このため、Ｗｅｂページが変更される度に、表示対象とする部分領域を指定する作業を繰り返さなければならない。
【０００６】
本発明の目的は、表示対象としていたＷｅｂページに変更がある場合に、表示対象とする部分領域を容易に変更することができる映像表示装置、映像表示管理装置、映像表示方法、及び映像表示管理方法を提供することである。
【課題を解決するための手段】
【０００７】
実施形態によれば、映像表示装置は、選択手段と、Ｗｅｂ情報解析手段と、画面生成手段と、送信手段と、受信手段と、変更手段とを含む。選択手段は、Ｗｅｂページの第１のクリップ領域を選択する。Ｗｅｂ情報解析手段は、前記第１のクリップ領域に関する第１のＷｅｂ情報を解析する。画面生成手段は、前記第１のＷｅｂ情報をもとに前記第１のクリップ領域のページ情報を表示するための画面を生成する。送信手段は、前記第１のＷｅｂ情報を外部装置に送信する。受信手段は、前記第１のＷｅｂ情報と関連性のある情報であって、他の映像表示装置において前記Ｗｅｂページから選択された第２のクリップ領域に関する第２のＷｅｂ情報を、前記外部装置から受信する。変更手段は、前記第２のＷｅｂ情報をもとに前記第１のクリップ領域を変更する。
【図面の簡単な説明】
【０００８】
【図１】本実施形態における映像表示システムの構成の一例を示す図。
【図２】本実施形態における映像表示装置によるＷｅｂ情報統合画面生成処理を示すフローチャート。
【図３】本実施形態におけるディスプレイにＷｅｂページが表示された画面の一例を示す図。
【図４】本実施形態におけるＷｅｂ情報統合画面の一例を示す図。
【図５】本実施形態における映像表示装置によるＷｅｂ情報送信処理を示すフローチャート。
【図６】本実施形態におけるサーバに記録される解析済みＷｅｂ情報の一例を示す図。
【図７】本実施形態におけるサーバに記録される解析済みＷｅｂ情報の一例を示す図。
【図８】本実施形態におけるＨＴＭＬファイルの一例を示す図。
【図９】本実施形態におけるサーバによるＷｅｂ情報記録処理を示すフローチャート。
【図１０】本実施形態における代替領域提示部による関連性判別処理を示すフローチャート。
【図１１】本実施形態におけるユーザＢの映像表示装置において設定されたＷｅｂ情報統合画面の例を示す図。
【図１２】本実施形態におけるユーザＡの映像表示装置において設定されたＷｅｂ情報統合画面の例を示す図。
【図１３】本実施形態におけるＷｅｂ情報統合画面のクリップ領域について決定された関連性の高い順のクリップ領域を示す図。
【図１４】本実施形態における映像表示装置における代替領域要求処理を示すフローチャート。
【図１５】本実施形態におけるサーバにおける代替領域提示処理を示すフローチャート。
【図１６】本実施形態における複数の映像表示装置がＬＡＮにより接続された映像表示システムの例を示すブロック図。
【発明を実施するための形態】
【０００９】
以下、図面を参照して、実施形態について説明する。  
図１は、本実施形態における映像表示システムの構成の一例を示す図である。図１に示す映像表示システムは、複数の映像表示装置１０（１０−１，１０−２，…，１０−ｎ）が、インターネット１２等のネットワークを介してサーバ１４（映像表示管理装置）と接続されている。本実施形態における映像表示装置１０は、例えばテレビジョン装置として実現される。
【００１０】
映像表示装置１０は、テレビ放送を受信して映像／音声を出力することができると共に、インターネットを通じてＷｅｂサイトが公開するＷｅｂページ等の情報を受信して表示することができる。また、映像表示装置１０は、Ｗｅｂページ全体を表示するだけでなく、複数のＷｅｂページを統合して１画面に表示することができる。さらに、Ｗｅｂページの一部分の領域（部分領域）をユーザ操作に応じて選択し、部分領域に対応するＷｅｂページを統合して表示することができる。
【００１１】
サーバ１４は、複数の映像表示装置１０においてＷｅｂページを表示するために用いるＷｅｂ情報（解析済みＷｅｂ情報）を、各映像表示装置１０から受信して記録するＷｅｂ情報記録機能を有する。また、サーバ１４は、複数の映像表示装置１０から受信した解析済みＷｅｂ情報をもとに、映像表示装置１０からの代替領域の提示要求に応じて、提示要求と共に受信される解析済みＷｅｂ情報と関連性の高い解析済みＷｅｂ情報を送信する代替領域提示機能を有する。代替領域の提示要求は、例えば、映像表示装置１０においてＷｅｂ情報をもとに表示していたＷｅｂページが、Ｗｅｂサイトにおいて変更（レイアウト、コンテンツ、アドレス（ＵＲＬ）の変更等）されたために正しく表示されなくなった場合に、ユーザ操作からの指示に応じて送信される。サーバ１４から関連性の高い代替え解析済みＷｅｂ情報を映像表示装置１０に送信することで、映像表示装置１０では部分領域の選択などの作業をすることなく、容易にＷｅｂページを正しく表示させることができる。
【００１２】
なお、映像表示装置１０は、テレビジョン装置として実現するだけでなく、パーソナルコンピュータ、ＨＤＤレコーダ、ＤＶＤレコーダ、カーナビゲーションシステム、携帯電話機等のネットワーク接続機能及び映像表示機能を有した電子機器によって実現することが可能である。
【００１３】
図１に示すように、映像表示装置１０−１は、装置本体２０、ディスプレイ２１、アンテナ２２、及びリモコン２３を含んでいる。  
装置本体２０は、放送データ受信部３０、映像音声情報生成部３１、切替部３２、ネットワークＩ／Ｆ部３５、Ｗｅｂ情報解析部３６、Ｗｅｂ情報統合画面生成部３７、Ｗｅｂ情報統合画面出力部３８、解析済みＷｅｂ情報送信部３９、解析済みＷｅｂ情報受信部４０、及び記録部４１を含んでいる。装置本体２０において実現される各部機能は、プログラムをプロセッサ（ＣＰＵ）により実行することにより実現できる。また、各部機能は、ＤＳＰ（Digital Signal Processor）、マイクロコンピュータのようなハードウェアによって実現してもよい。
【００１４】
放送データ受信部３０と映像音声情報生成部３１は、テレビ放送を出力するための機能部である。放送データ受信部３０は、アンテナ２２より受信している放送波から放送データ（画像情報、音声情報、ＥＰＧ（Electronic Program Guide）情報等を含む）を取得して、映像音声情報生成部３１へ出力する。映像音声情報生成部３１は、放送データ受信部３０により受信された放送データをもとに、ディスプレイ２１に表示可能な映像信号を生成すると共に、スピーカ（図示せず）から出力可能な音声信号を生成する。
【００１５】
切替部３２は、ユーザ操作に応じてリモコン２３から送信される切替信号に応じて、映像音声情報生成部３１により生成されたテレビ放送用出力（映像、音声）と、Ｗｅｂ情報統合画面出力部３８から出力されるＷｅｂページ閲覧用のＷｅｂ情報統合画面出力の何れかに切り替える。
【００１６】
放送データ受信部３０と映像音声情報生成部３１とを除く、その他の機能部は、インターネット１２を通じて取得されるＷｅｂページを表示するための機能部である。
【００１７】
ネットワークＩ／Ｆ部３５は、インターネット１２を通じて外部装置（サーバ１４、Ｗｅｂサーバ等）とデータを送受信するためのインタフェースである。ネットワークＩ／Ｆ部３５は、インターネット１２上に開設されたＷｅｂサイト（図示せず）からＷｅｂページ（ページの構成を定義するＷｅｂ情報（例えば、ＨＴＭＬ（Hyper Text Markup Language）ファイル）を取得する。また、ネットワークＩ／Ｆ部３５は、サーバ１４との間で、解析済みＷｅｂ情報（後述する）を送受信する。
【００１８】
Ｗｅｂ情報解析部３６は、ユーザ操作に応じてリモコン２３からＷｅｂページ（Ｗｅｂ情報統合画面）の表示が要求されると、ネットワークＩ／Ｆ部３５により取得されたＷｅｂ情報を解析し、解析結果をＷｅｂ情報統合画面生成部３７に出力する。１画面に複数のＷｅｂページを表示させるＷｅｂ情報統合画面を表示する場合には、Ｗｅｂ情報解析部３６は、記録部４１に記録された解析済みＷｅｂ情報をもとに、Ｗｅｂ情報統合画面に表示させるＷｅｂページのＷｅｂ情報を取得して解析する。
【００１９】
Ｗｅｂ情報統合画面生成部３７は、Ｗｅｂ情報統合画面生成機能を有する。Ｗｅｂ情報統合画面生成部３７は、ユーザからの指示に応じてＷｅｂ情報統合画面生成処理を実行し、Ｗｅｂ情報統合画面を定義する解析済みＷｅｂ情報を生成して記録部４１に記録する。記録部４１に記録された解析済みＷｅｂ情報は、解析済みＷｅｂ情報送信部３９によりサーバ１４に送信される。解析済みＷｅｂ情報には、１つ以上のＷｅｂページから選択された部分領域（クリップ領域）のページ情報（コンテンツ）を、Ｗｅｂ情報統合画面に表示させるための情報が含まれている。また、Ｗｅｂ情報統合画面生成部３７は、ユーザ操作に応じてリモコン２３からＷｅｂページ（Ｗｅｂ情報統合画面）の表示が要求されると、解析済みＷｅｂ情報をもとにＷｅｂ情報解析部３６による解析結果を統合して、Ｗｅｂ情報統合画面（図４参照）を生成する。Ｗｅｂ情報統合画面では、Ｗｅｂページから選択された部分領域のページ情報を、画面中で決定された貼り付け位置（領域）に応じて拡大／縮小して表示する。
【００２０】
Ｗｅｂ情報統合画面出力部３８は、Ｗｅｂ情報統合画面生成部３７によって生成されたＷｅｂ情報統合画面を、切替部３２を介してディスプレイ２１に出力する。
【００２１】
解析済みＷｅｂ情報送信部３９は、Ｗｅｂ情報統合画面生成部３７により生成された解析済みＷｅｂ情報を、ネットワークＩ／Ｆ部３５を通じてサーバ１４に送信する。解析済みＷｅｂ情報送信部３９は、ユーザ操作によってリモコン２３から代替領域の提示要求が指示された場合に、代替要求の対象とする解析済みＷｅｂ情報と共に代替領域の提示要求をサーバ１４に送信する。
【００２２】
解析済みＷｅｂ情報受信部４０は、解析済みＷｅｂ情報送信部３９から送信された代替領域の提示要求に対して、サーバ１４から送信された代替えの候補とする解析済みＷｅｂ情報を受信する。サーバ１４からは、代替領域の提示要求と共に送信した解析済みＷｅｂ情報（第１のＷｅｂ情報）と関連性の高い解析済みＷｅｂ情報（第２のＷｅｂ情報）が送信される。
【００２３】
記録部４１は、Ｗｅｂ情報統合画面において表示されるＷｅｂページのＷｅｂ情報や、Ｗｅｂ情報統合画面を定義する解析済みＷｅｂ情報等を記録する。
【００２４】
なお、映像表示装置１０−２，…，１０−ｎは、前述した映像表示装置１０−１と同様の機能が設けられているものとして詳細な説明を省略する。
図１に示すように、サーバ１４は、ネットワークＩ／Ｆ部５０、代替領域提示部５１（類似検出部５１ａ、関連性判別部５１ｂ）、Ｗｅｂ情報解析部５２、及び記録部５３を含んでいる。
【００２５】
ネットワークＩ／Ｆ部５０は、インターネット１２を通じて外部装置（映像表示装置１０、Ｗｅｂサーバ等）とデータを送受信するためのインタフェースである。ネットワークＩ／Ｆ部５０は、映像表示装置１０−１，１０−２，…，１０−ｎとの間で、解析済みＷｅｂ情報を送受信する。また、ネットワークＩ／Ｆ部５０は、インターネット１２上に開設されたＷｅｂサイト（図示せず）からＷｅｂページ（ページの構成を定義するＷｅｂ情報を取得することができる。
【００２６】
代替領域提示部５１は、ネットワークＩ／Ｆ部５０を通じて映像表示装置１０から解析済みＷｅｂ情報（第１のＷｅｂ情報）と共に代替領域の提示要求を受信した場合に、記録部５３に記録された複数の解析済みＷｅｂ情報から、代替領域の提示要求元の映像表示装置１０から受信した解析済みＷｅｂ情報と関連性の高い解析済みＷｅｂ情報（第２のＷｅｂ情報）を判別して送信する。代替領域提示部５１には、類似検出部５１ａと関連性判別部５１ｂが含まれる。類似検出部５１ａは、解析済みＷｅｂ情報において定義されたデータをもとに関連度を求める。関連性判別部５１ｂは、類似検出部５１ａによって求められた関連度をもとに、提示要求元の映像表示装置１０に送信する解析済みＷｅｂ情報を判別する。
【００２７】
Ｗｅｂ情報解析部５２は、ネットワークＩ／Ｆ部５０を通じて映像表示装置１０から送信された解析済みＷｅｂ情報を記録部５３に記録する。また、Ｗｅｂ情報解析部５２は、映像表示装置１０から受信した解析済みＷｅｂ情報をもとに、映像表示装置１０において表示対象としているＷｅｂページのＷｅｂ情報をネットワークＩ／Ｆ部５０を通じて取得し、このＷｅｂ情報を解析して、表示対象としているＷｅｂページ（部分領域に対応するページ）の構造情報を生成する。Ｗｅｂページの構造情報は、映像表示装置１０に設定された部分領域（クリップ領域）において表示されるページ情報の特徴を示すものであり、解析済みＷｅｂ情報の関連性を判別するために利用される。以下、Ｗｅｂページの構造情報をベクトル情報と称する場合がある。Ｗｅｂ情報解析部５２は、Ｗｅｂ情報についての解析結果（ベクトル情報）を、解析済みＷｅｂ情報と共に記録部５３に記録する。
【００２８】
記録部５３は、複数の映像表示装置１０から受信した解析済みＷｅｂ情報やＷｅｂ情報解析部５２による解析結果を記録する。映像表示装置１０は、例えば定期的に解析済みＷｅｂ情報をサーバ１４に送信したり、あるいは表示対象としているＷｅｂページが変更されたために解析済みＷｅｂ情報が修正された場合に修正後の解析済みＷｅｂ情報をサーバ１４に送信する。サーバ１４は、映像表示装置１０から受信される解析済みＷｅｂ情報を、映像表示装置１０ごとに順次記録することで、解析済みＷｅｂ情報の履歴を管理する。
【００２９】
次に、本実施形態における映像表示システム（映像表示装置１０、サーバ１４）の動作について説明する。  
まず、図２に示すフローチャートを参照しながら、映像表示装置１０（ここでは、映像表示装置１０−１を対象とする）によるＷｅｂ情報統合画面生成処理について説明する。  
映像表示装置１０は、ユーザ操作によってリモコン２３からＷｅｂページの表示が指示されると、ネットワークＩ／Ｆ部３５を通じてインターネット１２上で公開されているＷｅｂページにアクセスしてＷｅｂ情報を受信する（ステップＡ１）。Ｗｅｂ情報統合画面生成部３７は、Ｗｅｂ情報解析部３６によるＷｅｂ情報の解析結果をもとにＷｅｂ画面を作成して、Ｗｅｂ情報統合画面出力部３８を介してディスプレイ２１にＷｅｂページを表示させる。ここでは、予め登録された候補からＷｅｂページを指定しても良いし、任意のＵＲＬをユーザに指定させてＷｅｂページを指定させても良い。
【００３０】
次に、ディスプレイ２１に表示されたＷｅｂページにおいて、Ｗｅｂ情報統合画面において表示対象とする部分領域（クリップ領域）をユーザ操作によって指定させる。Ｗｅｂ情報統合画面生成部３７は、Ｗｅｂページに対して指定された範囲をクリップ領域として選択する（ステップＡ２）。
【００３１】
図３には、ディスプレイ２１にＷｅｂページが表示された画面の一例を示す図である。クリップ領域は、例えばＷｅｂページに配置された複数のコンテンツ（画像、テキスト等）からコンテンツ単位で指定できるようにしても良いし、リモコン２３の操作に応じて画面中で所定単位（例えば、予め決められたピクセル数単位）で移動するポインタを表示し、このポインタによってクリップ領域を示す位置（例えば、矩形の左上頂点と右下頂点の位置）を指定できるようにしても良い。
【００３２】
図３において、領域９０は、コンテンツ単位で指定された例を示している。領域９０は、ポイントＰ１，Ｐ２によって範囲を特定することができる。領域９０では、例えば天気予報に関する画像が表示されている。なお、コンテンツ単位の領域は、Ｗｅｂページの構造を定義するＨＴＭＬファイルの記述内容から判別することができる。また、領域９１は、ポインタにより位置が指定された例を示している。領域９１は、ポインタにより指定された矩形の左上頂点Ｐ３と右下頂点Ｐ４によって範囲を特定することができる。領域９１では、画像とテキストとが表示されている。
【００３３】
次に、Ｗｅｂ情報統合画面において、クリップ領域のＷｅｂページを貼り付ける（表示させる）位置をユーザ操作によって指定させる。Ｗｅｂ情報統合画面生成部３７は、Ｗｅｂ情報統合画面において指定された位置を貼り付け位置として決定する（ステップＡ３）。Ｗｅｂ情報統合画面生成部３７は、Ｗｅｂ情報解析部３６によるクリップ領域のＷｅｂ情報についての解析結果を入力し（ステップＡ４）、この解析結果とＷｅｂ情報統合画面において指定された貼り付け位置とをもとに、Ｗｅｂ情報統合画面を定義する解析済みＷｅｂ情報を生成して記録部４１に記録する（ステップＡ５）。なお、解析済みＷｅｂ情報の詳細については後述する（図６、図７）。
【００３４】
解析済みＷｅｂ情報送信部３９は、Ｗｅｂ情報統合画面生成部３７により解析済みＷｅｂ情報が記録部４１に記録されると、この解析済みＷｅｂ情報をサーバ１４に送信する（ステップＡ６）。
【００３５】
図４は、Ｗｅｂ情報統合画面１００の一例を示す図である。図４に示すＷｅｂ情報統合画面は、縦方向に２列で貼り付け位置を設定する例を示している。図４では、４枚のＷｅｂページでそれぞれ指定されたクリップ領域に対して設定された、貼り付け位置１０１，１０２，１０３，１０４を示している。例えば、貼り付け位置１０２は、図３に示す領域９０に応じて指定されている。貼り付け位置１０２には、領域９０において表示されていたページ情報（コンテンツ）が表示される。
【００３６】
なお、Ｗｅｂ情報統合画面では、図４に示すように、縦方向に２列で貼り付け位置を設定するだけでなく、ユーザの指定によって任意の位置、サイズによって貼り付け位置を指定することも可能である。また、映像表示装置１０では、複数枚分のＷｅｂ情報統合画面を作成して、それぞれのＷｅｂ情報統合画面に対応する解析済みＷｅｂ情報を記録しておくことができる。
【００３７】
次に、図５に示すフローチャートを参照しながら、映像表示装置１０によるＷｅｂ情報送信処理について説明する。  
解析済みＷｅｂ情報受信部４０は、前述したように解析済みＷｅｂ情報が作成された場合、あるいは解析済みＷｅｂ情報が修正された場合に、解析済みＷｅｂ情報をサーバ１４に送信するだけでなく、例えば予め決められた期間毎に、定期的に記録部４１に記録された解析済みＷｅｂ情報をサーバ１４に送信することもできる。
【００３８】
解析済みＷｅｂ情報受信部４０は、予め決められた送信タイミングとなったことが判別された場合（ステップＢ２、Ｙｅｓ）、記録部４１に記録された解析済みＷｅｂ情報をサーバ１４に送信する（ステップＢ３）。
【００３９】
これにより、映像表示装置１０は、あるＷｅｂサイトが提供しているＷｅｂページの一部をＷｅｂ情報統合画面において表示するために解析済みＷｅｂ情報が生成された場合に、Ｗｅｂページにおいて決定されたクリップ領域に関する情報を含む解析済みＷｅｂ情報をサーバ１４に記録することができる。同様にして、他の映像表示装置１０−２，…，１０−ｎも、それぞれにおいて生成された解析済みＷｅｂ情報を記録する。従って、例えばユーザＡが使用する映像表示装置１０−１から送信された解析済みＷｅｂ情報と、ユーザＢが使用する映像表示装置１０−２から送信された解析済みＷｅｂ情報とが、同じＷｅｂページ中のほぼ同じ範囲をクリップしてＷｅｂ情報統合画面に表示する定義がされている可能性がある。本実施形態では、２つの解析済みＷｅｂ情報に同様の定義がされている場合、２つの解析済みＷｅｂ情報に関連性があると判別する。そして、例えばユーザＢにより解析済みＷｅｂ情報が修正された場合に、ユーザＡからの代替領域の提示要求に対して、ユーザＢにより修正された解析済みＷｅｂ情報を提供することで、ユーザＡによる解析済みＷｅｂ情報の修正作業を不要にする。
【００４０】
図６及び図７は、サーバ１４に記録される解析済みＷｅｂ情報の一例を示す図である。図６は、ユーザＡの映像表示装置１０−１から受信された解析済みＷｅｂ情報、図７は、ユーザＢの映像表示装置１０−２から受信された解析済みＷｅｂ情報を示している。ただし、図６に示すデータＡ４と図７に示すデータＢ５は、ベクトル情報を示すもので、サーバ１４のＷｅｂ情報解析部５２により生成される。
【００４１】
図６に示す「user_A_data」は複数のＷｅｂ情報統合画面（ボード）のデータ(idで識別 b01, b02) からなる配列であり、それぞれのボードのデータには複数のクリップ領域のＷｅｂページを表示するための情報が含まれている。
【００４２】
以下、「user_A_data」に設定された主要なデータについて説明する。図６のデータＡ１に含まれる「'id': 'b01'」は、ボードの識別情報(ID)であり、一枚目のＷｅｂ情報統合画面のデータであることを示す。また、データＡ１には、ボードについて設定された「version」、「design」（テンプレート名）、「name」（ボードに付けた名称）が含まれている。
【００４３】
データＡ２，Ａ３，Ａ４は、Ｗｅｂ情報統合画面において表示される１枚のクリップ領域のＷｅｂページに関するデータである。データＡ５，Ａ６，Ａ７は、それぞれ１枚のクリップ領域のＷｅｂページに関するデータであり、データＡ２，Ａ３，Ａ４と同様のデータが含まれている。すなわち、「'id': 'b01'」により識別されるＷｅｂ情報統合画面（ボード）には、４枚のＷｅｂページが表示されることを示している。
【００４４】
図６のデータＡ２は、クリップ領域を識別するデータを含んでいる。「"url": "http://baseball.example.com/npb/",」は、Ｗｅｂページのアドレス（ＵＲＬ）、「"id": "Tool1301531114028_102Base"」はクリップ領域に付された識別情報（ＩＤ）、「"date": "2011-03-31T00:29:53.050Z"」はクリップ領域が作成された時刻、「"title": "foo!スポーツ - プロ野球"」はクリップ領域単位で設定された名前（例えばＵＲＬが示すＷｅｂページから自動取得する）、「"posi_top": 70」はクリップ領域のページ情報を表示させるＷｅｂ情報統合画面（ボード）中の貼り付け位置を示すＹ座標、「"posi_left": 100」はクリップ領域のページ情報を表示させるＷｅｂ情報統合画面（ボード）中の貼り付け位置を示すＸ座標をそれぞれ示している。
【００４５】
図６のデータＡ３は、クリップ領域に関する各種パラメータを含んでいる。「"zoom": 1.22」はＷｅｂページにおいて指定されたクリップ領域のページ情報をＷｅｂ情報統合画面の貼り付け位置（範囲）に合わせて表示するための拡大率、「"width": 634」はクリップ領域の幅のピクセル値、「"height": 232」はクリップ領域の高さのピクセル値、「"selector": ["#NpbBoxTeam"]」はクリップ領域を特定するためのＨＴＭＬ中の構造情報のリスト（例えば、ＣＳＳのセレクタ、ＨＴＭＬのタグ、ＸＰａｔｈ）、「"doc_height": 7964」はクリップ領域のページ情報を拡大率通りに表示した際の幅のピクセル数、「"doc_width": 2064」はクリップ領域のページ情報を拡大率通りに表示した際の高さのピクセル値、「"top": 1147」はＵＲＬが示すＷｅｂページを拡大率通りに表示した際のクリップ領域の起点位置（矩形の左上頂点）を示すｙ座標、「"left": 784」はＵＲＬが示すＷｅｂページを拡大率通りに表示した際のクリップ領域の起点位置（矩形の左上頂点）を示すｘ座標をそれぞれ示している。
【００４６】
図６のデータＡ４は、ＵＲＬが示すＷｅｂページのクリップ領域に相当するページ情報の特徴を示すベクトル情報である。ベクトル情報は、Ｗｅｂ情報解析部５２によって該当するＷｅｂページＷｅｂ情報を解析することにより生成され、映像表示装置１０から受信され解析済みＷｅｂ情報に追加される。ベクトル情報は、例えばＷｅｂページの構造を定義するＨＴＭＬに含まれるタグの情報を利用して生成される。ベクトル情報を構成するために用いるタグの情報は、例えば「ＨＴＭＬ４」の規格において「%block」の定義を利用する。「%block」の定義は、「P | %heading; | %list; | %preformatted; | DL | DIV | NOSCRIPT |BLOCKQUOTE | FORM | HR | TABLE | FIELDSET | ADDRESS"」となっている。
【００４７】
つまり、具体的には、次のようなタグ「p」「h1」「h2」「h3」「h4」「h5」「h6」「ul」「ol」「dir」「menu」「pre」「dl」「div」「center」「noscript」「noframes」「blockquote」「form」「isindex」「hr」「table」「fieldset」「address」を利用してベクトル情報を作成する。
【００４８】
ここでは、例えば前述したタグの出現回数を単純に計数して配列することによりベクトル情報を生成する。例えば、図８に示すような、ＨＴＭＬファイルがあった場合、クリップ領域が「class="news2"」の領域だとすると、ベクトル情報は、「BlockVector = (div：1, h2：1, text：13)」のようにする。これは、タグ「div」が１度出現、タグ「h2」が１度出現、テキストが１３文字存在するという情報を表している。このように、ＨＴＭＬにより定義されたＷｅｂページの構造を単純な数値で表すベクトル情報とすることで、ベクトル情報を用いた類似度計算（例えば、コサイン類似度）を実行することが可能となる。従って、類似度値をもとにしてクリップ領域の関連性を判別しやすくなる。
【００４９】
図６においては、データＡ８，Ａ９において、「'id': 'b02'」の識別情報が付された２枚目のＷｅｂ情報統合画面（ボード）の解析済みＷｅｂ情報が設定されている。詳細な説明を省略する。
【００５０】
図７は、ユーザＢの映像表示装置１０−２から受信された解析済みＷｅｂ情報を示している。図７に示す解析済みＷｅｂ情報は、図６に示す解析済みＷｅｂ情報と同様の構造を有するものとして詳細な説明を省略する。
【００５１】
なお、図７に示すデータＢ２，Ｂ３，Ｂ４は、図６に示すデータＡ２，Ａ３，Ａ４に対応するＷｅｂページと同じＷｅｂページに設定されたクリップ領域について生成されたデータを示している。すなわち、データＢ２，Ｂ３，Ｂ４とデータＡ２，Ａ３，Ａ４とは関連性が高い関係にある。
【００５２】
次に、図９に示すフローチャートを参照しながら、サーバ１４によるＷｅｂ情報記録処理について説明する。  
サーバ１４のＷｅｂ情報解析部５２は、ネットワークＩ／Ｆ部５０を通じて、映像表示装置１０から解析済みＷｅｂ情報を受信すると（ステップＣ１）、新規の情報であるか判別する。すなわち、映像表示装置１０において、新規にＷｅｂ情報統合画面の設定がされたことにより生成された解析済みＷｅｂ情報であるか判別する。Ｗｅｂ情報解析部５２は、例えば解析済みＷｅｂ情報に定義された識別情報やその他のデータをもとに新規の解析済みＷｅｂ情報であるか判別する。
【００５３】
ここで、新規の解析済みＷｅｂ情報でないと判別した場合（ステップＣ２のＮｏ）、Ｗｅｂ情報解析部５２は、解析済みＷｅｂ情報に変更があるか判別する（ステップＣ６）。Ｗｅｂ情報解析部５２は、例えば、解析済みＷｅｂ情報に含まれる、クリップ領域に付された識別情報（ＩＤ）やクリップ領域が作成された時刻をもとに変更があるか判別する。
【００５４】
解析済みＷｅｂ情報に変更がない場合には（ステップＣ７のＮｏ）、Ｗｅｂ情報解析部５２は、映像表示装置１０から受信した解析済みＷｅｂ情報を記録しない。すなわち、映像表示装置１０において定期的に送信された解析済みＷｅｂ情報であり、Ｗｅｂ情報統合画面の修正等がされていないものと判別する。なお、Ｗｅｂ情報解析部５２は、映像表示装置１０から受信した全ての解析済みＷｅｂ情報を、単純に記録部５３に記録してもよい。
【００５５】
一方、解析済みＷｅｂ情報に変更がある場合には（ステップＣ７のＹｅｓ）、Ｗｅｂ情報解析部５２は、映像表示装置１０から受信した、変更済みの解析済みＷｅｂ情報を記録部５３に記録する（ステップＣ８）。記録部５３には、映像表示装置１０ごとに解析済みＷｅｂ情報を記録する。
【００５６】
例えば、映像表示装置１０において、ユーザからの指示応じてＷｅｂ情報統合画面にＷｅｂページを表示させた場合に、Ｗｅｂ情報統合画面に設定した貼り付け位置にページ情報が正しく表示されていないものとする。例えば、Ｗｅｂサイトにおいて、Ｗｅｂページ内のコンテンツのレイアウトが変更されたり、コンテンツの内容が変更されたりした場合には、Ｗｅｂページに対して指定したクリップ領域の位置と表示対象としていたコンテンツの位置とがずれてしまう可能性がある。また、Ｗｅｂページのアドレス（ＵＲＬ）が変更された場合には、解析済みＷｅｂ情報に設定されたＵＲＬにアクセスしても、必要とするＷｅｂページのページ情報を取得することができない。
【００５７】
このような場合、例えば、図２のフローチャートに示すＷｅｂ情報統合画面生成処理と同様の手順によって、正しく表示されなくなったクリップ領域の再設定が実行される。この再設定により変更された解析済みＷｅｂ情報を受信した場合には、Ｗｅｂ情報解析部５２は、この変更された解析済みＷｅｂ情報を記録部５３に記録する。記録部５３には、映像表示装置１０ごとに解析済みＷｅｂ情報が履歴として記録されているため、解析済みＷｅｂ情報の変更を識別することができる。
【００５８】
ところで、映像表示装置１０から新規の解析済みＷｅｂ情報が受信された場合、代替領域提示部５１は、新規の解析済みＷｅｂ情報と記録部５３に記録された他の映像表示装置１０から受信された既存の解析済みＷｅｂ情報との関連性を判別する（ステップＣ３）。すなわち、同じＷｅｂページに対して同様の位置にクリップ領域を設定する解析済みＷｅｂ情報が、他の映像表示装置１０において生成されているかを判別する。
【００５９】
図１０は、代替領域提示部５１による関連性判別処理を示すフローチャートである。  
代替領域提示部５１の類似検出部５１ａは、解析済みＷｅｂ情報に含まれるデータをもとに、２つの解析済みＷｅｂ情報の関連性をクリップ領域毎に判別する。すなわち、類似検出部５１ａは、ＵＲＬが示すＷｅｂページのクリップ領域の位置と面積のそれぞれについて比較することにより関連性を判別する（ステップＤ１）。類似検出部５１ａは、解析済みＷｅｂ情報に記録されたクリップ領域に関するパラメータ（図６に示すデータＡ３、図７に示すデータＢ４）をもとに、クリップ領域のピクセル数を比較する。ここで、ピクセル数の差が予め決められた閾値の範囲内であれば関連性が高いと判別することができる。なお、閾値は、サーバ１４において任意に設定することができる。
【００６０】
また、類似検出部５１ａは、ＵＲＬが示すＷｅｂページのＨＴＭＬ構造情報（ベクトル情報）をもとに類似度を算出し、この類似度をもとに関連性を判別する（ステップＤ２）。
【００６１】
類似検出部５１ａは、解析済みＷｅｂ情報のベクトル情報（図６に示すデータＡ４、図７に示すデータＢ５）をもとに、例えばコサイン類似度を算出する。ベクトル情報についてコサイン類似度を算出することにより、ＨＴＭＬのタグの有無に基づく類似度を算出することができる。コサイン類似度は、「１」に近づくほど類似度が高いことを示し、予め決められた閾値以上である場合に関連性が高いと判別することができる。
【００６２】
また、類似検出部５１ａは、Ｗｅｂ情報統合画面において同時に表示しているＷｅｂページ（クリップ領域）の組合せをもとに関連性を判別する（ステップＤ３）。例えば、図１１は、ユーザＢの映像表示装置１０において設定されたＷｅｂ情報統合画面の例を示し、図１２は、ユーザＡの映像表示装置１０において設定されたＷｅｂ情報統合画面の例を示している。ユーザＢの映像表示装置１０から受信された解析済みＷｅｂ情報には、５つのＷｅｂページ（ＵＲＬ  ＡＡＡ、ＵＲＬ  ＢＢＢ、ＵＲＬ  ＣＣＣ、ＵＲＬ  ＤＤＤ、ＵＲＬ  ＸＸＸ）に指定されたクリップ領域のページ情報を表示するデータが含まれている。一方、ユーザＡの映像表示装置１０から受信された解析済みＷｅｂ情報にも、同じ５つのＷｅｂページのページ情報を表示するデータが含まれている。従って、「ＵＲＬ  ＸＸＸ」のＷｅｂページに指定されたクリップ領域に注目した場合、Ｗｅｂ情報統合画面において同時に表示するＷｅｂページが同じであるため関連性が高いと判別することができる。
【００６３】
関連性判別部５１ｂは、類似検出部５１ａによる関連性の判別結果をもとに、関連性の高い解析済みＷｅｂ情報の優先順位を決定する（ステップＤ４）。ここでは、解析済みＷｅｂ情報に含まれる各クリップ領域ごとに、関連性が高いと判別された他のクリップ領域の優先順位を決定する。
【００６４】
図１３は、例えばユーザＡの解析済みＷｅｂ情報に設定された１枚目のＷｅｂ情報統合画面（ボード）のクリップ領域について決定された、関連性の高い順のクリップ領域を示している。
【００６５】
図１３において、「candidate_area」は面積に基づく関連性の高さ、「candidate_position」は位置に基づく関連性の高さ、「candidate_similarity」はベクトル情報をもとに算出した類似度に基づく関連性の高さ、「candidate_url」はＷｅｂ情報統合画面において同時に表示する周辺のクリップ領域（ＵＲＬ）に基づく関連性の高さを示している。関連性は、数値が１に近いほど高いことを示す。
【００６６】
代替領域提示部５１は、関連性判別処理が完了すると、この処理結果をもとに解析済みＷｅｂ情報の関連性を記録部５３に記録する（ステップＣ４）。すなわち、クリップ領域を識別する一意のデータ（例えばユーザ名、ボードのid、拡大表示領域のid）ごとに、関連性が高いと判定された上位の優先順位から少なくとも１つのクリップ領域との対応を示すデータを記録しておく。
【００６７】
例えば、図６と図７に示す解析済みＷｅｂ情報の例では、図６に示すデータＡ２〜Ａ４に対応するクリップ領域と、図７に示すデータＢ３〜Ｂ５に対応するクリップ領域とが高い関連性を示すデータが記録される。
【００６８】
なお、図９のフローチャートに示す処理では、新規の解析済みＷｅｂ情報について既存の解析済みＷｅｂ情報との関連性を判別しているが、ステップＣ６において変更があると判別された解析済みＷｅｂ情報について、前述と同様にして、既存の解析済みＷｅｂ情報との関連性を判別するようにしても良い。
【００６９】
また、新規の解析済みＷｅｂ情報を受信した場合に関連性判別処理（ステップＣ３）を実行しているが、記録部５３に解析済みＷｅｂ情報が記録された後、任意のタイミングで実行するようにしても良い。この場合、複数の解析済みＷｅｂ情報について、一括して関連性判別処理を実行することができる。
【００７０】
また、関連性判別処理では、ステップＤ１，Ｄ２，Ｄ３において実行される処理に優先度を設定し、優先度高い処理の順に実行するようにしても良い。この場合、優先度の高い処理により複数の解析済みＷｅｂ情報から候補を絞り、この絞り込まれた候補の解析済みＷｅｂ情報について次の優先度の処理を実行する。また、ステップＤ１，Ｄ２，Ｄ３に示す全ての処理を実行するのではなく、何れか１つの処理、あるいは任意の２つの処理を組み合わせた処理を実行するようにしても良い。
【００７１】
次に、図１４に示すフローチャートを参照しながら、映像表示装置１０における代替領域要求処理について説明する。また、図１５に示すフローチャートを参照しながらサーバ１４における代替領域提示処理について説明する。
【００７２】
例えば、ユーザＢが使用する映像表示装置１０−２においてＷｅｂ情報統合画面を表示した場合に、ページ情報が正しく表示されないクリップ領域（例えば、図７のデータＢ３〜Ｂ５に対応するクリップ領域）があったものとする。ここで、ユーザＢの操作によって正しくページ情報が表示されるようにクリップ領域が修正されると、変更された解析済みＷｅｂ情報がサーバ１４に送信される。
【００７３】
一方、ユーザＡが使用する映像表示装置１０−１においてＷｅｂ情報統合画面を表示した場合に、ページ情報が正しく表示されないクリップ領域（例えば、図６のデータＡ２〜Ａ４に対応するクリップ領域）があったものとする。ユーザＡは、リモコン２３に対する操作によってＷｅｂ情報統合画面において正しく表示されていないページ情報（クリップ領域）を指定すると共に、代替領域の提示要求の実行を指示する。
【００７４】
解析済みＷｅｂ情報送信部３９は、修正対象とするページ情報（クリップ領域）の指定を入力すると（ステップＦ１）、このクリップ領域を含む解析済みＷｅｂ情報と共に代替領域の提供要求をサーバ１４に送信する（ステップＦ２）。ここでは、修正（代替）対象とするクリップ領域を特定するデータが付加されているものとする。
【００７５】
サーバ１４の代替領域提示部５１は、代替領域の提示要求を受信すると（ステップＥ１）、代替の対象とするクリップ領域と関連性の高いクリップ領域を含む解析済みＷｅｂ情報を、Ｗｅｂ情報記録処理のステップＣ４において記録されたデータをもとに判別する（ステップＥ２）。ここで判別される解析済みＷｅｂ情報は、ユーザＢによってクリップ領域の修正がされる前の情報である。
【００７６】
代替領域提示部５１は、ステップＥ２において判別された解析済みＷｅｂ情報に対応する、変更後の最新の解析済みＷｅｂ情報を記録部５３から検出する（ステップＥ３）。すなわち、ユーザＢによってクリップ領域の修正がされることにより映像表示装置１０−２から受信した変更後の解析済みＷｅｂ情報を検出する。
【００７７】
そして、代替領域提示部５１は、最新の解析済みＷｅｂ情報（クリップ領域）を代替領域として映像表示装置１０−１に送信する（ステップＥ４）。
【００７８】
映像表示装置１０−１は、代替領域の提供要求に対してサーバ１４から送信された解析済みＷｅｂ情報を受信すると（ステップＦ３のＹｅｓ）、この受信した解析済みＷｅｂ情報に含まれる代替領域（クリップ領域）のデータをもとに、元の解析済みＷｅｂ情報の該当するクリップ領域のデータを変更する（ステップＦ４）。
【００７９】
従って、映像表示装置１０−１では、修正対象とする領域を指定して代替領域の提示要求を指示するだけで、ユーザＢによって映像表示装置１０−２において修正されたデータをもとに、解析済みＷｅｂ情報を変更することができる。
【００８０】
なお、代替領域の提示要求によって変更された後に表示されるページ情報が意図しない表示状態であった場合、再度、代替領域の提示要求を送信することができる。サーバ１４の代替領域提示部５１は、Ｗｅｂ情報記録処理（ステップＣ４）において、関連性の高いクリップ領域の対応を示すデータが記録されていた場合、次に優先度が高いクリップ領域を含む解析済みＷｅｂ情報を対象として、前述と同様にして代替領域を通知する。
【００８１】
このようにして、Ｗｅｂ情報統合画面において表示対象となるＷｅｂページのクリップ領域の表示について、サーバ１４で記録された複数のユーザの解析済みＷｅｂ情報の関連性や履歴をもとに、関連性の高い代替えの部分の領域が提示されるので、Ｗｅｂ情報統合画面に表示されるページ情報が正しく表示されなくなった場合であっても、ユーザがＷｅｂページのクリップ領域の修正作業を手動操作ですることなく簡単に修正することが可能となる。このため、ユーザに対する負担を大幅に低減することが可能となる。
【００８２】
なお、前述した説明では、サーバ１４において複数の映像表示装置１０−１，１０−２，…，１０−ｎから送信された解析済みＷｅｂ情報を記録し、解析済みＷｅｂ情報（クリップ領域）の関連性をもとに代替領域を提示しているが、サーバ１４を設けない映像表示システムとして実現することも可能である。
【００８３】
図１６は、複数の映像表示装置６０−１，６０−２，…，６０−ｍが例えばＬＡＮ（Local Area Network）６２により接続された映像表示システムの例を示すブロック図である。例えば、家庭内で複数の映像表示装置６０−１，６０−２，…，６０−ｍが使用されている場合を想定する。
【００８４】
図１６に示すように、映像表示装置６０−１には、代替領域判別部９２が設けられている。代替領域判別部９２には、類似検出部９２ａと関連性判別部９２ｂが含まれている。なお、その他の機能部については、図１に示す同じ名称が付された機能部と同様の処理を実行するものとして詳細な説明を省略する。ただし、Ｗｅｂ情報解析部８６は、図１に示すサーバ１４のＷｅｂ情報解析部５２と同等の機能（ベクトル情報の生成）を含むものとする。映像表示装置６０−２，…，６０−ｍは、映像表示装置６０−１と同様の機能を有し、同じ処理を実行する。
【００８５】
代替領域判別部９２は、他の映像表示装置６０から受信した解析済みＷｅｂ情報と、自機に記録された解析済みＷｅｂ情報との関連性を判別し、関連性の高い解析済みＷｅｂ情報に含まれるクリップ領域のデータが変更された場合に、このデータをもとにして自機に記録された解析済みＷｅｂ情報のクリップ領域のデータを修正する。
【００８６】
映像表示装置６０−１，６０−２，…，６０−ｍでは、同じ環境で使用できるように設定が行われており、Ｗｅｂ情報統合画面についても同じ設定がされているものとする。映像表示装置６０−１，６０−２，…，６０−ｍは、Ｗｅｂ情報統合画面を設定する操作がされた場合、解析済みＷｅｂ情報を他の映像表示装置に送信する。
【００８７】
例えば、映像表示装置６０−２においてＷｅｂ情報統合画面を表示させた時に、正しく表示されなかったため、映像表示装置６０−２において修正作業が行われたものとする。この場合、変更された解析済みＷｅｂ情報が映像表示装置６０−１に送信される。映像表示装置６０−１の代替領域判別部９２は、映像表示装置６０−２から受信された解析済みＷｅｂ情報（クリップ領域のデータ）をもとに、自機用の解析済みＷｅｂ情報を修正する。
【００８８】
これにより、映像表示装置６０−１，…，６０−ｍでは、Ｗｅｂ情報統合画面（クリップ領域）の修正作業をする必要がなくなるため、ユーザの作業負担を必要とすることなく、同じ環境でＷｅｂ情報統合画面を表示させることが可能となる。
【００８９】
なお、図１６では、映像表示装置６０−１，６０−２，…，６０−ｍがそれぞれ同じ処理を実行するものとして説明しているが、例えば１つの映像表示装置６０−１が図１に示すサーバ１４と同様に機能し、映像表示装置６０−１から他の映像表示装置６０−２，…，６０−ｍに対して代替領域を提示するように構成することも可能である。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９１】
また、前述した実施の形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータの機能を実装された電子機器は、記録媒体に記録されたプログラムを読み込み、または通信媒体を介してプログラムを受信し、このプログラムによって動作が制御されることにより、上述した処理を実行することができる。
【符号の説明】
【００９２】
１０…映像表示装置、３６，５２…Ｗｅｂ情報解析部、３７…Ｗｅｂ情報統合画面生成部、３８…Ｗｅｂ情報統合画面出力部、３９…解析済みＷｅｂ情報送信部、４０…解析済みＷｅｂ情報受信部、５１…代替領域提示部、５１ａ，９２ａ…類似領域検出部、５１ｂ，９２ｂ…関連判別部、９２…代替領域判別部。
【図１】
0005175951.tif 000002
【図２】
0005175951.tif 000003
【図３】
0005175951.tif 000004
【図４】
0005175951.tif 000005
【図５】
0005175951.tif 000006
【図６】
0005175951.tif 000007
【図７】
0005175951.tif 000008
【図８】
0005175951.tif 000009
【図９】
0005175951.tif 000010
【図１０】
0005175951.tif 000011
【図１１】
0005175951.tif 000012
【図１２】
0005175951.tif 000013
【図１３】
0005175951.tif 000014
【図１４】
0005175951.tif 000015
【図１５】
0005175951.tif 000016
【図１６】
0005175951.tif 000017